(57)【要約】【課題】架空ケーブル長方向に比較的広い間隔に設定しても鳥が止まるのを有効に防止でき、低コストで長区間の鳥害を防止できるとともに、軽量にでき、架空ケーブルに掛かる荷重も軽減される鳥害防止器を提供する。【解決手段】架空ケーブル３を包囲する絶縁性筒状カバー１の外側面にリブ４，５を一体に形成するとともに、適宜間隔で該リブに開設した小孔７ａ，７ｂに絶縁性材料からなる弾性線材８を貫挿することにより該カバー上に該弾性線材を風圧によって撓み得るような弾性状であって架空ケーブル長方向に傾斜状態なるように自立させてなる。【選択図】図１
2005318867.tif 000002
【特許請求の範囲】
【請求項１】
架空ケーブルを包囲する絶縁性筒状カバーの外側面にリブを一体に形成するとともに、適宜間隔で該リブに開設した小孔に絶縁性材料からなる弾性線材を貫挿することにより該カバー上に該弾性線材を風圧によって撓み得るような弾性状であって架空ケーブル長方向に傾斜状態なるように自立させてなることを特徴とした架空ケーブル用鳥害防止器。
【請求項２】
絶縁性筒状カバーの外側面に２条平行にリブを形成し、該リブに至近距離に開設した２箇所を１組とする小孔を開設し、適宜長さにカットした弾性線材を両端から該小孔に夫々貫挿し、該弾性線材の略中央折曲部を他方のリブに当接させることにより抜け止めし、該弾性線材を架空ケーブルの両長方向に傾斜状態なるように自立させてなることを特徴とした請求項１に記載の架空ケーブル用鳥害防止器。
【請求項３】
弾性材料により切欠環状体を形成し、該環状体に開設した小孔に絶縁性材料からなる弾性線材を貫挿するとともに、架空ケーブルまたは該架空ケーブルを包囲する絶縁性筒状カバーの外側面に該環状体を跨状に被着することにより該カバー上に該弾性線材を風圧によって撓み得るような弾性状であってケーブル長方向に傾斜状態なるように自立させてなることを特徴とした架空ケーブル用鳥害防止器。
【請求項４】
切欠環状体の略中央に２箇所を１組とする小孔を開設し、適宜長さにカットした弾性線材を該小孔に夫々貫挿し、架空ケーブルまたは絶縁性筒状カバーの外側面に該環状体を被着することにより該弾性線材の略中央折曲部を該カバーの外側面に当接させて該弾性線材を抜け止めすることにより該弾性線材を架空ケーブルの両長方向に傾斜状態なるように自立させてなることを特徴とする請求項３に記載の架空ケーブル用鳥害防止器。
【請求項５】
弾性線材はガラス繊維を多数本束ねて線状としその表面にポリエチレン樹脂を被覆してなるものである請求項１〜４のいずれかに記載の架空ケーブル用鳥害防止器。
【請求項６】
弾性線材はポリエチレンテレフタレート繊維を多数本束ねて線状としその表面にポリエチレン樹脂を被覆してなるものである請求項１〜４のいずれかに記載の架空ケーブル用鳥害防止器。
【発明の詳細な説明】
【技術分野】
【０００１】
本発明は電力線や通信線などの架空ケーブルに野鳥が止まって糞害をもたらすのを防止する架空ケーブル用鳥害防止器に関するものである。
【背景技術】
【０００２】
下記特許文献１に示された架空電線鳥害防止パイプは、パイプ外周面に多数のプラスチック製突出針を放射状に形成することにより、電力線や通信線などの架空ケーブルに多数の野鳥が止まるのを防ぎ、糞害等が防止されるようにするものである。
【特許文献１】特開平１１−１１３１４４号公報
【０００３】
また、建築現場の上空に架設された架空ケーブルや、街路樹が接触するおそれのある架空ケーブルでは、図７に示したように該架空ケーブルａに一時的或いは恒久的に被着する絶縁性筒状カバーｂについて、野鳥が止まるのを防止するため該絶縁性筒状カバーの長手方向に定間隔で透孔ｃを開設して直径１０ｍｍ程の丸棒状突起ｄを垂直に樹立させることがなされていた。或いは、図８に示したように、絶縁性筒状カバーｂ上に支柱ｅを樹立し、該支柱に釣糸として使用されるような細い透明なナイロン糸ｆを張ることもあった。
【発明の開示】
【発明が解決しようとする課題】
【０００４】
ところが図７に示した鳥害防止対策では、絶縁性筒状カバーに数十ｍｍの間隔で多数の丸棒状突起ｄを設けねばならず、１００ｍｍ以上の間隔で設けたのでは野鳥がその状況に慣れてくると効果が薄れるものであったので、長区間に設けることを考慮すると非常にコストが高くなるとともに、重量も増すのでケーブルに掛かる負荷が大きくなりケーブルが垂れ易くなって強風により揺れたり破断する可能性が増す等の問題があった。また、間隔を密に多数の透孔ｃを開設しなければならないことで該筒状カバーの強度が損なわれるおそれもあった。
また、図８に示した対策では、長期間経るとやがてはナイロン糸ｆが伸びて垂れてしまい防止効果がなくなるおそれがあった。なお、ナイロン糸に代えて剛性のある線材を張ったのでは、その線材上に鳥が止まり得るので意味をなさない。
【課題を解決するための手段】
【０００５】
本発明は上記課題を解決しようとするもので、請求項１に記載の架空ケーブル用鳥害防止器は、架空ケーブルを包囲する絶縁性筒状カバーの外側面にリブを一体に形成するとともに、適宜間隔で該リブに開設した小孔に絶縁性材料からなる弾性線材を貫挿することにより該カバー上に該弾性線材を風圧によって撓み得るような弾性状であって架空ケーブル長方向に傾斜状態なるように自立させてなることを特徴とする。
【０００６】
また請求項２に記載の発明は上記架空ケーブル用鳥害防止器において、絶縁性筒状カバーの外側面に２条のリブを形成し、該リブに至近距離に開設した２箇所を１組とする小孔を開設し、適宜長さにカットした弾性線材を両端から該小孔に夫々貫挿し、該弾性線材の略中央折曲部を他方のリブに当接させることにより抜け止めし、該弾性線材を架空ケーブルの両長方向に傾斜状態なるように自立させてなることを特徴とする。
【０００７】
また請求項３に記載の架空ケーブル用鳥害防止器は、弾性材料により切欠環状体を形成し、該環状体に開設した小孔に絶縁性材料からなる弾性線材を貫挿するとともに、架空ケーブルまたは該架空ケーブルを包囲する絶縁性筒状カバーの外側面に該環状体を跨状に被着することにより該カバー上に該弾性線材を風圧によって撓み得るような弾性状であってケーブル長方向に傾斜状態なるように自立させてなることを特徴とする。
【０００８】
また請求項４に記載の発明は請求項３に記載の架空ケーブル用鳥害防止器において、切欠環状体の略中央に２箇所を１組とする小孔を開設し、適宜長さにカットした弾性線材を該小孔に夫々貫挿し、架空ケーブルまたは絶縁性筒状カバーの外側面に該環状体を被着することにより該弾性線材の略中央折曲部を該カバーの外側面に当接させて該弾性線材を抜け止めすることにより該弾性線材を架空ケーブルの両長方向に傾斜状態なるように自立させてなることを特徴とする。
【０００９】
また請求項５に記載の発明は請求項１〜４のいずれかに記載の架空ケーブル用鳥害防止器において、弾性線材はガラス繊維を多数本束ねて線状としその表面にポリエチレン樹脂を被覆してなるものであることを特徴とする。
【００１０】
また請求項６に記載の発明は請求項１〜４のいずれかに記載の架空ケーブル用鳥害防止器において、弾性線材はポリエチレンテレフタレート繊維を多数本束ねて線状としその表面にポリエチレン樹脂を被覆してなるものであることを特徴とする。
【発明の効果】
【００１１】
弾性線材は風圧によって撓み得るような弾性状であることから、鳥が羽ばたきすることにより該弾性線材が揺れて不規則な動きをして鳥の翼や体に当たるために鳥は止まることを忌諱する。また、弾性線材をケーブル長方向に傾斜状態なるように自立させるものであるので、弾性線材を設ける間隔を広くでき、コストおよび重量負荷を軽減させる。
【実施例１】
【００１２】
次に請求項１および２に記載した架空ケーブル用鳥害防止器の実施例を説明する。図１はこの架空ケーブル用鳥害防止器の斜視図、図２はその横断面図である。絶縁性筒状カバー１はポリプロピレン等のプラスチックの押出成形により筒状に成形され、架空ケーブル３を包囲し得るもので、２，２はその両側縁に一体に形成された包囲端合掌用の鍔部である。また、該絶縁性筒状カバー１と一体でその外側面の一側に数ミリの間隔を置いて２条平行にリブ４，５が形成される。なお、下方のリブ５の先端縁には上向の突提６が一体に形成される。そして、該絶縁性筒状カバー１を押出成形した後に上方のリブ４に小孔７ａ，７ｂを間隔Ｌが３００ｍｍ〜５００ｍｍとなるように該筒状カバー１の長手方向に適宜間隔で開設する。なお、該小孔７ａ，７ｂは至近距離（数ミリ）の２箇所に開設したものを１組とするものである。
【００１３】
そして、絶縁性材料からなる弾性線材８を適宜長さにカットし、該弾性線材８の両端をリブ４の下側から小孔７ａ，７ｂに貫挿し、該両端を上方に引っ張り上げることにより該弾性線材の略中央折曲部９を下方のリブ５の上面に当接させることにより抜け止めし、該弾性線材８を架空ケーブルの両長方向に傾斜状態なるように自立させてなる。
上記弾性線材８はガラス繊維またはポリエチレンテレフタレート繊維を多数本束ねて線状としその表面にポリエチレン樹脂を被覆してなる太さ１ｍｍ〜２．５ｍｍのもので、風圧によって撓み得るような弾性的性状のもので、このような資材を使用することにより温度変化にも強く耐候性のある弾性線材を得ることができる。また、カーボン繊維やアラミド繊維を線状とした弾性線材を使用することも可能である。
また、上記突提６は弾性線材８の略中央折曲部９が外方に脱落し難いようにするために形成している。
【００１４】
このように構成した鳥害防止器では、弾性線材８の両端が架空ケーブルの両長方向に延びることから、上記間隔Ｌを３００ｍｍ〜５００ｍｍの広めに設定しても鳥が止まるのを防止でき、低コストで長区間の鳥害を防止することができる。
また、細径の弾性線材により軽量にできるので架空ケーブルに掛かる荷重も軽減される。また、弾性線材８が自然の風または鳥が至近距離で羽ばたきしたときの風によって撓んで揺れ、止まろうとする鳥の翼や体に該弾性線材８が当たることから、鳥はそうした状況に慣れることなく止まることを忌諱する。
【００１５】
また、弾性線材８を両端から小孔７ａ，７ｂに貫挿し、その略中央折曲部９をリブ５に当接し抜け止めとしたことにより、絶縁性筒状カバー１に対する弾性線材８の止着が容易になるとともに、弾性線材８の両端を引っ張るだけで確実に止着できるので作業性もよい。
なお、この実施例では絶縁性筒状カバー１の外側面の一側にのみリブ４，５を形成したが、外側面の両側にリブ４，５を形成してもよいことは勿論である。
【実施例２】
【００１６】
次に請求項３および４に記載した架空ケーブル用鳥害防止器の実施例を説明する。図３はこの架空ケーブル用鳥害防止器の斜視図、図４はその使用状態を示した絶縁性筒状カバーの斜視図である。この実施例ではプラスチック等の弾性材料により略Ｃ形の切欠環状体１１を形成し、環状体の略中央に２箇所を１組とする小孔１２ａ，１２ｂを開設し、上記実施例と同様に風圧によって撓み得るような弾性状の弾性線材１３を適宜長さにカットし、該弾性線材１３を該小孔１２ａ，１２ｂに貫挿する。そして図５にも示したように該環状体１１の切欠部を弾性的に拡張して絶縁性筒状カバー１０の外側面に跨状に被着することにより該弾性線材の略中央折曲部１４を該カバー１０の外側面に当接させて該弾性線材１３を抜け止めし、該弾性線材を架空ケーブルの両長方向に傾斜状態なるように自立させてなる。
【００１７】
このように切欠環状体１１は絶縁性筒状カバー１０に対し上方から差し込むだけで簡単に取り付けることができる。このためこの鳥害防止器は架空ケーブルにすでに取り付けられている絶縁性筒状カバーに対して容易に後付けすることができ、その取付間隔も自由に設定することができる。
【００１８】
そしてこの鳥害防止器の場合も細径の弾性線材により軽量にできるので、架空ケーブルに掛かる荷重が軽減されるとともに弾性線材１３が風により撓んで揺れるので鳥が止まるのを忌諱する顕著な効果がある。また、弾性線材１３の両端を架空ケーブルの両長方向に延ばすことにより、取付間隔を３００ｍｍ〜５００ｍｍの広めにでき、低コストで長区間の鳥害を防止することができる。
【００１９】
また、弾性線材１３を小孔１２ａ，１２ｂに貫挿し、その略中央折曲部１４を絶縁性筒状カバー１０の外側面に当接させることで該弾性線材を抜け止めすることができるので、該弾性線材１３の止着作業も容易となる。
【００２０】
一方、図６に示した鳥害防止器は、弾性線材１３が小孔１２ａ，１２ｂに貫挿された切欠環状体１１を架空ケーブル３に対し上方から直に差し込んで取り付けたものであるが、請求項３および４に記載した鳥害防止器はこのように架空ケーブル３に直接取り付けることもできる。なお、この図６に示した切欠環状体１１では一端部内周に滑り止め用の突起１５が一体に成形され、該突起１５を架空ケーブル３の表面に圧着させることで該切欠環状体１１が取付後に無用に回転しないようにしている。このように本発明の鳥害防止器は架空ケーブルに直接取り付け場合も上記のような所期の効果が期待される。
【図面の簡単な説明】
【００２１】
【図１】本発明に係る架空ケーブル用鳥害防止器の斜視図。
【図２】図１の横断面図。
【図３】本発明に係る架空ケーブル用鳥害防止器の斜視図。
【図４】本発明に係る架空ケーブル用鳥害防止器の取付状態を示した斜視図。
【図５】図４の横断面図。
【図６】本発明に係る架空ケーブル用鳥害防止器の取付状態を示した斜視図。
【図７】従来の架空ケーブル用鳥害防止器の縦断面図。
【図８】従来の架空ケーブル用鳥害防止器の縦断面図。
【符号の説明】
【００２２】
１                絶縁性筒状カバー
３                架空ケーブル
４，５            リブ
６                突提
７ａ，７ｂ        小孔
８                弾性線材
９                中央折曲部
１１              切欠環状体
１２ａ，１２ｂ    小孔
１３              弾性線材
１４              中央折曲部
【図１】
2005318867.tif 000003
【図２】
2005318867.tif 000004
【図３】
2005318867.tif 000005
【図４】
2005318867.tif 000006
【図５】
2005318867.tif 000007
【図６】
2005318867.tif 000008
【図７】
2005318867.tif 000009
【図８】
2005318867.tif 000010